(57)【要約】【課題】  設置現場で簡単にアームの突出方向の調整ができるようにすること。【解決手段】  ベース部材１に固定された一対の対向支持片２，３間に、回動軸４を中心にして折り畳み位置から展開位置まで回動可能な回動支持部材５を支持させ、回動支持部材５には、軸部材８を中心にして折り畳み状態と使用状態との間で回動自在に支持されたアーム９を設け、一方の対向支持片３と相対的に回動可能に設けられた調整部材１８にはストッパ穴２０を設けるとともに、調整部材１８の表面に弾性的に接触しながら回動支持部材５と一体となって回動するストッパピンを備えている。調整部材１８を回動させることによってストッパピンとストッパ穴２０との位置関係が調整可能になり、回動支持部材５が回動してストッパピンがストッパ穴２０の位置に達したとき、ストッパピンの先端が上記ストッパ穴２０内に進入して回動支持部材５の回動が規制される。【選択図】  図１
2019111115.tif 000002
【特許請求の範囲】
【請求項１】
直接もしくは間接的に内壁等の建物内に取り付けられるベース部材と、
上記ベース部材に固定された一対の対向支持片と、
これら対向支持片間に設けられた回動軸を中心にして、折り畳み位置から展開位置まで回動可能に支持された回動支持部材と、
上記回動支持部材に取り付けられるとともに、上記回動軸と直交する軸部材を中心にして、折り畳み状態と使用状態との間で回動自在に支持されたアームと、
このアームの使用状態を保つ使用状態保持機構と、
上記いずれか一方の対向支持片に、この対向支持片と相対的に回動可能に設けられた調整部材と、
上記調整部材の表面に弾性的に接触しながら、上記回動支持部材と一体となって上記回動軸回りを回動するストッパピンと、
が備えられ、
上記調整部材を回動させることによって上記ストッパピンとストッパ穴との位置関係が調整可能にされるとともに、上記回動支持部材が展開方向に回動してストッパピンがストッパ穴の位置に達したとき、上記ストッパピンの先端が上記ストッパ穴内に進入して、上記回動支持部材の回動が規制される避難用緩降機の取り付け装置。
【請求項２】
上記調整部材は、上記回動支持部材の回動軸を貫通し、この回動軸周りに回動可能に支持される板部材からなり、
上記一方の対向支持片に対し、上記調整部材を任意の回動位置で固定する固定手段が備えられた請求項１に記載の避難用緩降機の取り付け装置。
【請求項３】
上記調整部材は、その外周に当該調整部材の回動中心を中心とする円弧状部を備えるとともに、この円弧状部には複数のギヤ状溝が設けられ、
上記固定手段は、上記ギヤ状溝と、このギヤ状溝に嵌め合わされて上記調整部材の回動位置を固定する止め部材とからなる請求項２に記載の避難用緩降機の取り付け装置。
【発明の詳細な説明】
【技術分野】
【０００１】
この発明は、非常時にビルの窓などから避難する際に使用する避難用緩降機の取り付け装置に関する。
【背景技術】
【０００２】
従来から、通常時は建物内に折り畳んで収納し、非常時にはそれを展開して建物の外で緩降機を支持する避難用緩降機の取り付け装置が知られている。
例えば、図６〜８に示す従来の緩降機の取り付け装置は、ベース板１に一対の支持片２，３を固定し、これら支持片２，３間に渡した回動軸４に回動体５を回動可能に取り付けている。この回動体５には一対のアーム支持片６，７が固定され、このアーム支持片６，７間に渡した軸部材８でアーム９を回動可能に支持している。そして、このアーム９の先端には、避難時に緩降機を吊り下げるための吊り下げ具１０が設けられている。
【０００３】
また、上記回動体５の回動軸４を支持する下側の支持片３にはストッパ穴１１が形成され、回動体５にはピンケース１２が固定されている。
このピンケース１２は、図７に示すように、ストッパピン１３を収容した金属製の筒状部材で、先端側の開口１２ａにストッパピン１３の先端を臨ませている。ストッパピン１３の基端とピンケース１２の基端との間にはばね部材１４を介在させ、ストッパピン１３には、その先端を上記開口１２ａから押し出す方向のばね力を作用させている。したがって、ストッパピン１３の先端は、上記支持片３の表面に押しつけられている。
【０００４】
さらに、ストッパピン１３の基端側にはワイヤー１５を連結し、このワイヤー１５をピンケース１２の基端側の小孔１２ｂから引き出してリング１６に連結している。これらワイヤー１５及びリング１６は、ピンケース１２から先端を突出させたストッパピン１３を引き戻す際に使用するものである。
なお、このピンケース１２と上記ストッパ穴１１とは、図６の折り畳み状態で、回動軸４の軸中心線を中心とする同一円周上において、回動方向に１８０°ずれた位置に設けられている。
【０００５】
このような避難用緩降機の取り付け装置を、図６の折り畳み状態から使用状態に展開させる場合には次のようにする。
まず、アーム９の先端側を持ち上げるようにして、アーム９を矢印Ａ方向に回動させる。アーム９が回動すると、アーム９に連係した図示しない支持棒の端部に固定したボルト１７がアーム支持片６，７の線状の案内孔６ａ，７ａに沿って移動する。そして、アーム９がほぼ水平状態になると、上記ボルト１７が上記案内孔６ａ，７ａの終端に位置し、アーム９の落下を防止するようにしている。なお、上記アーム支持片７の案内孔７ａは図示していないが、アーム支持片６の案内孔６ａと対向する位置に案内孔６ａと同様に形成されている。
【０００６】
上記のようにアーム９を持ち上げたら、アーム９を矢印Ｂ方向に回し、回動体５を回動させて図８に示すように水平状態のアーム９を窓ｗから外へ突出させる。
図８は、窓ｗに隣接する壁面１００に取り付けられた上記ベース板１から、回動体５を１８０°回動させた状態を示している。
このとき、上記ピンケース１２は１８０°回動した回動体５とともに移動し、支持片３に形成されたストッパ穴１１と対向するので、ストッパピン１３が上記ばね部材１４の弾性力でストッパ穴１１内に進入し、回動体５の回動を規制することになる。
【０００７】
これにより、水平状態を保ったアーム９を窓ｗから外へ突出させた状態で回動体５の回動が規制され、吊り下げ具１０に緩降機を取り付けて使用することができる。
【先行技術文献】
【特許文献】
【０００８】
【特許文献１】特開２００６−０００１６８号公報
【特許文献２】特開平０９−３２２９４５号公報
【発明の概要】
【発明が解決しようとする課題】
【０００９】
上記した従来の避難用緩降機の取り付け装置では、アーム９を支持した回動体５の回動を規制するストッパ穴１１が、支持片３に直接形成されている。そのため、ピンケース１２とストッパ穴１１との位置関係、すなわちストッパ穴１１とストッパピン１３との位置関係が固定化されてしまう。そのために、使用状態におけるアーム９の角度もあらかじめ決められてしまう。
【００１０】
一方で、窓ｗの外側の状況は建物によって異なる。例えば、図８のようにアーム９を窓から突出させた使用状態にあるとき、その取り付け具１０の真下に障害物が存在することがある。そのような場合には、緩降機を使用して避難することができなくなるので、ストッパ穴１１の位置を変更し、窓ｗに対するアーム９の突出角度を調整して障害物を避けなければならない。
【００１１】
しかし、当該装置は、上記ストッパ穴１１をあらかじめ工場で作って出荷されるので、ストッパ穴１１の位置を現場で簡単には変更できない。
もし、現場の特殊状況があらかじめ分かっていれば、特注品としてストッパ穴を形成することができる。しかし、この場合には、取付け作業者が事前に現場に行って、特殊な状況をあらかじめ計測しなければならないので、その分、手間がかかるという問題があった。
【００１２】
また、取付け作業者が現場に到着した後に特殊状況が初めて分かったというようなときには、当該装置を一度工場に持ち帰ってストッパ穴１１を作り直してから、当該装置を再度現場に持ち込まなければならない。このようなことをしていれば、時間がかかり過ぎてビジネス効率が極めて悪いものになるという問題も発生する。
【００１３】
なお、現場の特殊状況を考慮しながら、現場でストッパ穴１１を作ることも考えられるが、それはほとんど不可能である。あえて現場でストッパ穴１１を形成しようとすれば、下側の支持片３を取り外した状態にしておかなければならない。下側の支持片３を取り外した状態にするということは、回動体５と一体になっているアーム９も取り外した状態にしておかなければならない。しかし、金属材料からなるベース部材１や回動体５、アーム９はかなり重量がかさむので、特殊な道具がなければ正確に組み付けられない。さらに、現場でストッパ穴１１をした支持片３を、ベース板１に溶接しなければならない。このようなことから、現場でストッパ穴１１を形成することはほとんど不可能である。
【００１４】
この発明の課題は、設置現場で簡単にアームの突出方向の調整ができる避難用緩降機の取り付け装置を提供することである。
【課題を解決するための手段】
【００１５】
第１の発明は、直接もしくは間接的に内壁等の建物内に取り付けられるベース部材と、上記ベース部材に固定された一対の対向支持片と、これら対向支持片間に設けられた回動軸を中心にして、折り畳み位置から展開位置まで回動可能に支持された回動支持部材と、上記回動支持部材に取り付けられるとともに、上記回動軸と直交する軸部材を中心にして、折り畳み状態と使用状態との間で回動自在に支持されたアームと、このアームの使用状態を保つ使用状態保持機構と、上記いずれか一方の対向支持片に、この対向支持片と相対的に回動可能に設けられた調整部材と、上記調整部材の表面に弾性的に接触しながら、上記回動支持部材と一体となって上記回動軸回りを回動するストッパピンと、が備えられている。そして、上記調整部材を回動させることによって上記ストッパピンとストッパ穴との位置関係が調整可能にされ、上記回動支持部材が展開方向に回動してストッパピンがストッパ穴の位置に達したとき、上記ストッパピンの先端が上記ストッパ穴内に進入して、上記回動支持部材の回動が規制されること特徴とする。
【００１６】
第２の発明は、上記調整部材が、上記回動支持部材の回動軸を貫通し、この回動軸周りに回動可能に支持される板部材からなり、上記一方の対向支持片に対し、上記調整部材を任意の回動位置で固定する固定手段が備えられたことを特徴とする。
【００１７】
第３の発明は、上記調整部材が、その外周に当該調整部材の回動中心を中心とする円弧状部を備えるとともに、この円弧状部には複数のギヤ状溝が設けられ、上記固定手段は、上記ギヤ状溝と、このギヤ状溝に嵌め合わされて上記調整部材の回動位置を固定する止め部材とからなることを特徴とする。
【発明の効果】
【００１８】
この発明では、ベース部材側に設けられるストッパ穴を、ベース部材とは別体の調整部材に形成し、この調整部材を回動可能にしたので、調整部材の回動位置を調整するだけで、ストッパ穴とストッパピンとの位置関係を簡単に変更できる。
したがって、ストッパピンが設けられた回動支持部材の回動角度を、状況に合わせて現場で調整でき、アームの突出方向を調整できる。
このように、ストッパ穴の位置の変更が容易で、従来のように工場へ持ち帰ったりする必要がないため、この装置の設置の作業性が良くなる。
また、アームの先端に取り付けた緩降機で降下する過程で、避難者が障害物などに衝突することなく、安全に避難できる。
【００１９】
第２の発明によれば、調整部材に、回動支持部材の回動軸を貫通することで回動可能に支持することができる。そして、調整部材を回動軸周りに回動させることによって、ストッパ穴の位置を簡単に調整できる。
【００２０】
第３の発明によれば、調整部材の外周に形成されたギヤ状溝の間隔に応じて調整部材の回動位置を調整できる。したがって、ギヤ状溝の間隔に応じた精度で、アームの突出角度を設定できる。
ギヤ状溝の間隔を小さくすればするほど、ストッパ穴の回動位置の調整を細かくでき、結果としてアームの突出方向も細かく調整できるようになる。なお、アームはある程度の長さを備えているので、アームの回動角度の変化が小さくても、アーム先端の位置には大きな差ができる。したがって、アーム先端位置を必要な位置に調整するためには、ストッパ穴の回動位置をより細かく調整できることが必要である。
【図面の簡単な説明】
【００２１】
【図１】この発明の実施形態の取り付け装置の折り畳み状態の斜視図である。
【図２】実施形態の取り付け装置の展開状態の斜視図である。
【図３】実施形態の取り付け装置の展開状態の側面図である。
【図４】実施形態の取り付け装置の展開状態を示した平面図である。
【図５】実施形態の調整部材の平面図である。
【図６】従来の取り付け装置の折り畳み状態の斜視図である。
【図７】従来装置のピンケースの断面図である。
【図８】従来装置の展開状態の平面図である。
【発明を実施するための形態】
【００２２】
図１〜５を用いて、この発明の一実施形態を説明する。
なお、この実施形態において、従来と同様の構成要素には図６〜８と同じ符号を用いる。
この実施形態の避難用緩降機の取り付け装置も、図４に示すようにベース板１を、窓ｗに隣接する壁面１００に固定して用いるものである。
そして、図１は非使用時の折り畳み状態であり、図２，３は、使用時の展開状態を示している。
【００２３】
この実施形態の装置も、従来と同様にベース板１にこの発明の対向支持片である一対の支持片２，３が固定されている。そして、この支持片２，３間に渡した回動軸４で回動体５が回動可能に支持されている。
また、この回動体５にはアーム支持片６，７が固定され、このアーム支持片６，７には、上記回動軸４と直交する軸部材８が渡され、この軸部材８にアーム９が回動可能に支持されている。
【００２４】
アーム支持片６，７には案内孔６ａ，７ａが形成され、この間に、図示しない支持棒を介してアーム９に連係されたボルト１７が渡されている。上記アーム９を矢印Ａ方向に回動させると、ボルト１７がアーム支持片６，７の線状の案内孔６ａ，７ａに沿って移動する。そして、アーム９が水平状態を通り越して、その先端が水平よりやや上方に位置するまで持ちあげて、上記ボルト１７を案内孔６ａ，７ａの頂部を通過させてから水平に戻すようにすると、上記ボルト１７が上記案内孔６ａ，７ａの鉤状の終端部６ｂ，７ｂに位置してアーム９の落下を防止する。この実施形態では、上記案内孔６ａ，７ａ及びボルト１７が、アーム９の使用状態保持機構である。
そして、アーム９を、展開位置から折り畳み位置に戻す際には、アーム９を少し持ち上げて、ボルト１７が案内穴６ａ，７ａの頂部を乗り越えてもとに戻るようにする。
【００２５】
また、この実施形態では、下側の支持片３と回動体５との間に、調整部材としての調整盤１８が設けられている。この調整盤１８は金属製の板部材であり、図５に示すように、中心には軸孔１９が形成されている。この軸孔１９に上記回動軸４が挿通され、調整盤１８はこの回動軸４の周りで回動可能に支持される。
また、調整盤１８の外周には複数のギヤ状溝１８ａが形成されている。このギヤ状溝１８ａは、調整盤１８の円周に沿って中心角αのピッチで形成されている。
この実施形態では、調整盤１８の全周ではなく外周のほぼ３分の２の範囲にのみギヤ状溝１８ａを形成しているが、ギヤ状溝１８ａを形成する範囲は特に限定されない。
さらに、この調整盤１８内には、上記ストッパピン１３が挿入されるストッパ穴２０が形成されている。このストッパ穴２０の周囲には、中心に向かって下降するテーパー面１８ｂを形成し、上記ストッパピン１３をストッパ穴２０にガイドするようにしている。
【００２６】
一方、回動体５にはピンケース１２が溶接などによって固定されているが、このピンケース１２は、従来と同様に、ストッパピン１３を収容した金属製の筒状部材である（図７参照）。
そして、図１に示す折り畳み状態で、ピンケース１２の開口１２ａが上記調整盤１８の表面に接触しているので、ストッパピン１３は、上記ばね部材１４によってその先端が調整盤１８に弾性的に接触している。
【００２７】
また、上記下側の支持片３には、上記回動軸４を挿通させる図示しない軸孔と、上記調整盤１８の外周に沿った２つのねじ穴３ａ，３ｂとが形成されている。これらのねじ穴３ａ，３ｂのうち一方のねじ穴３ａと調整盤１８のギヤ状溝１８ａとを一致させ、止めビス２１をねじ込んで調整盤１８を支持片３に固定するようにしている。
止めビス２１は、支持片３の下方からねじ込んで先端をギヤ状溝１８ａに嵌め合わせるようにしてもよいし、調整盤１８側からギヤ状溝１８ａに沿わせて止めビス２１を支持片３のねじ穴３ａにねじ込むようにしてもよい。
ただし、調整盤１８上を移動する回動体５に、止めビス２１の先端あるいは頭部が衝突してその移動を邪魔しないように、調整盤１８の上面に止めビスの端部が突出しないようにしなければならない。そのため、調整盤１８側から止めビスをねじ込む場合には、頭部が拡大していない穴付きビスなどを用いなければならない。
【００２８】
以下に、上記支持片３に形成されたねじ穴３ａ，３ｂと上記ギヤ状溝１８ａとの関係と、調整盤１８の位置調整方法を、図５を用いて説明する。
図５は、調整盤１８の平面図であるが、この調整盤１８を支持片３上に設けたときのねじ穴３ａ，３ｂの位置を二点鎖線で示している。この図５では、一方のねじ穴３ａと特定のギヤ状溝１８ａと一致させているが、複数のギヤ状溝１８ａのうち、どのギヤ状溝１８ａとねじ穴３ａとを一致させるかによって支持片３上のストッパ穴２０の位置を調整することができる。
そして、上記したようにギヤ状溝１８ａは中心角αのピッチで形成されているので、上記ねじ穴３ａとギヤ状溝１８ａとの組み合わせによってストッパ穴２０の回動位置を中心角α単位で調整できる。
【００２９】
また、もう一方のねじ穴３ｂは、上記ねじ穴３ａに対して中心角〔１．５×α〕だけずらした位置に形成されている。したがって、上記ギヤ状溝１８ａをこのねじ穴３ｂと一致させれば、上記ねじ穴３ａを用いた場合より半ピッチ分、すなわち中心角〔０．５×α〕だけずれた位置にストッパ穴２０を固定できる。このように、上記ねじ穴３ａと３ｂとによって、上記ストッパ穴２０をギヤ状溝１８ａの半ピッチ単位で調整できることになる。
そして、この実施形態では、上記ねじ穴３ａ，３ｂ、ギヤ状溝１８ａ及び止めビス２１によってこの発明の固定手段を構成している。
【００３０】
また、この実施形態では、図１に示す折り畳み状態で、上記ピンケース１２とストッパ穴２０とが、上記回動軸４の中心軸線を中心とする中心角で１８０°ずれた位置になるようにして、上記止めビス２１をねじ穴３ａにねじ込んで調整盤１８を固定している。このときのピンケース１２及びストッパピン１３の位置を、図５に二点鎖線で示している。したがって、上記回動体５が矢印Ｂ方向に回動角θが１８０°になるまで回動すると、回動体５に固定されたピンケース１２及びストッパピン１３は調整盤１８のストッパ穴２０と一致し、ストッパピン１３がばね部材１４の弾性力によってストッパ穴２０内に進入する。
【００３１】
この装置を、使用状態である展開状態にする手順は、従来と同じである。
すなわち、アーム９を、図１の矢印Ａ方向に回動させて水平状態に保持してから回動体５を矢印Ｂ方向に回動させれば、図４に示すようにアーム９を窓ｗから外へ突出させることができる。そして、回動体５が、折り畳み位置から、回動角θが１８０°になるまで回動した時点で上記ストッパピン１３が調整盤１８のストッパ穴２０に進入し、回動体５の回動が規制される。
【００３２】
なお、上記では、図１に示す装置の折り畳み状態で、ストッパピン１２とストッパ穴２０とが中心角度で１８０°ずれている場合について説明したが、ストッパピン１２とストッパ穴２０との位置関係は、上記したように調整盤１８の固定位置によって調整することができる。すなわち、調整盤１８のいずれかのギヤ状溝１８ａと、ねじ穴３ａ又は３ｂとを一致させて調整盤１８を固定することで、ギヤ状溝１８ａの半ピッチ単位で調整盤１８の回動位置を調整できる。
【００３３】
そして、調整盤１８の位置によって、回動体５の回動角度、すなわちストッパピン１２がストッパ穴２０と一致するまでの回動角θを設定すれば、この角度θに応じた方向にアーム９を突出させることができる。例えば、回動角θを１８０°よりも小さくすれば、図４に二点鎖線で示すように、アーム９を窓ｗから斜めに突出させることができる。
以上のように、この実施形態によれば、支持片３に予め形成されたねじ穴３ａ又は３ｂとギヤ状溝１８ａとを一致させて止めビス２１で固定するだけで、ストッパピン１３とストッパ穴２０との位置関係を調整できる。そのため、現場状況に応じて、ストッパ穴２０の位置を変更するために、装置を工場へ持ち帰るような必要はない。
【００３４】
そして、この装置を使用状態から折り畳む際には、上記ストッパピン１２をストッパ穴２０から引き抜いてから、回動体５を矢印Ｂと逆方向に回動させて折り畳み状態にすることができる。上記ストッパピン１３をストッパ穴２０から引き抜くためには、ピンケース１２の上のリング１６によってワイヤー１５を引っ張り、上記ばね部材１４のばね力に抗してストッパピン１２を引き上げればよい。
【００３５】
なお、図１，２，４中の符号２ａは、水平状態のアーム９を図４の矢印Ｂと逆方向に回動させるための回動支持部材の回動軸を支持するための軸孔である。そして、下側の支持片３には、上記軸孔２ａに対向する位置に、上記逆回動用の回動軸を支持するための軸孔３ｃが形成されている。
さらに、下側の支持片３の軸孔３ｃの周囲には、上記調整部材１８を固定するためのねじ穴３ｄ，３ｅが形成されている。
【００３６】
このように、支持片２，３に逆回動用の軸孔２ａ，３ｃ及びねじ穴３ｄ，３ｅを形成しているので、アーム９を矢印Ｂとは逆方向に回動させる逆回動用の回動支持部材を用いる際には、その回動軸を上記調整盤１８の軸孔１９に挿入して、調整盤１８の固定位置によってストッパピン１２とストッパ穴２０との相対位置を調整することができる。
このように、支持片２，３に、逆回動用の軸孔２ａ，３ｃ及びねじ穴３ｄ，３ｅを形成しているので、矢印Ｂ方向回動用と、逆回動用の回動支持部材を取り付ける際に、支持片２，３を固定されたベース板１を共通化することができる。
ただし、逆回動用の回動支持部材を支持するための支持片２，３を共通化することは必須ではない。
【００３７】
なお、上記実施形態では、調整盤１８の外周にギヤ状溝１８ａを形成し、このギヤ状溝１８ａと止めビス２１とによって調整盤１８をベース部材である支持片３に固定するようにしているが、調整盤１８をベース部材に固定する固定手段は、上記実施形態に限らない。例えば、ねじ穴３ａ，３ｂの代りに、支持片３に小孔を形成し、この小孔に止めピンを圧入して調整盤１８を位置決めするようにしてもよい。
さらに、ギヤ状溝１８ａに替えて調整盤１８内に複数の貫通孔を形成してこの貫通孔に止めビスや止めピンを挿入して調整盤１８を固定するようにしてもよいし、その他の手段を用いてもよい。
【００３８】
また、この実施形態では、調整盤１８を下側の支持片３と回転体５との間に設けているが、上記調整盤１８を上記回動体５と上側の支持片２との間に設けてもよい。その場合には、上側の支持片２に調整盤１８を固定するためのねじ穴などを形成する必要がある。
さらに、ここでは窓ｗの開口面と面一となる壁面１００に上記ベース板１を取り付けた例を説明しているが、ベース板１を取り付ける面は窓ｗと面一でなくてもよい。ベース板１の取り付け面が窓ｗに対してどのような角度であっても、上記調整盤１８を回動させてストッパ穴２０の位置を調整すれば、アーム９の先端を目的場所に位置させることができる。
【産業上の利用可能性】
【００３９】
窓の下に障害物があるような建物にも、容易に対応できる。
【符号の説明】
【００４０】
１    （ベース部材）ベース板
２，３    （ベース部材）支持片
４    回動軸
５    （回動支持部材）回動体
６，７    （回動支持部材）アーム支持片
６ａ，７ａ    （使用状態保持機構）案内孔
９    アーム
１２    ピンケース
１３    ストッパピン
１８    （調整部材）調整盤
１９    軸孔
２０    ストッパ穴
２１    （固定手段）止めビス
ｗ    窓
１００    壁面
【図１】
2019111115.tif 000003
【図２】
2019111115.tif 000004
【図３】
2019111115.tif 000005
【図４】
2019111115.tif 000006
【図５】
2019111115.tif 000007
【図６】
2019111115.tif 000008
【図７】
2019111115.tif 000009
【図８】
2019111115.tif 000010